【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
建築用要素であって、可撓性で実質的に平らな部材と、各々が可撓性の平らな部材の互いに反対側の表面にそれぞれ取り付けられていて、各々に少なくとも１つの溝が延びるよう設けられた互いに反対側のパネルとを有し、可撓性の平らな部材は、少なくとも１つの溝のところで変形可能であり、少なくとも１つの溝は、建築用要素を変形位置に保持するよう変形後に少なくとも部分的に充填されるようになっている、建築用要素。
【請求項２】
変形位置では、パネルの一方の外面の少なくとも一部は、凹状に形作られ、その反対側のパネルの外面の対向した部分は、凸状に形作られている、請求項１記載の建築用要素。
【請求項３】
各パネルは、複数のブロックによって構成され、前記溝は、ブロック相互間に位置している、請求項１又は２記載の建築用要素。
【請求項４】
ブロックは、変形位置にあるとき実質的に応力を受けていない、請求項３記載の建築用要素。
【請求項５】
パネルは、可撓性の平らな部材を実質的に隠している、請求項１〜４のうちいずれか一に記載の建築用要素。
【請求項６】
前記溝又は前記溝のうち少なくとも幾つかは、使用中、剛性になる物質で充填される、請求項１〜５のうちいずれか一に記載の建築用要素。
【請求項７】
前記溝又は前記溝のうち少なくとも幾つかは、使用中、１以上の補強要素で少なくとも部分的に充填される、請求項１〜５のうちいずれか一に記載の建築用要素。
【請求項８】
少なくとも１つの溝は、各パネルの互いに反対側の縁部相互間に延びている、請求項１〜７のうちいずれか一に記載の建築用要素。
【請求項９】
少なくとも１つの溝は、パネルが可撓性部材に取り付けられている位置のところ又はその近くでそれぞれ対応関係にあるパネル中の所定の深さまで延びている、請求項１〜８のうちいずれか一に記載の建築用要素。
【請求項１０】
構造体は、細長く、１以上の溝は、パネルの互いに反対側の長手方向縁部相互間に延びる横方向の溝である、請求項１〜９のうちいずれか一に記載の建築用要素。
【請求項１１】
横方向の溝は、複数の実質的に互いに平行で間隔を置いた溝である、請求項１０記載の建築用要素。
【請求項１２】
横方向の溝に直交して配置された１以上の長手方向溝を更に有している、請求項１０又は１１記載の建築用要素。
【請求項１３】
長手方向溝は、複数の実質的に互いに平行で間隔を置いた溝である、請求項１０〜１２のうちいずれか一に記載の建築用要素。
【請求項１４】
互いに反対側の表面のそれぞれの溝は、互いに整列している、請求項１〜１３のうちいずれか一に記載の建築用要素。
【請求項１５】
各溝は、直線を辿っている、請求項１〜１４のうちいずれか一に記載の建築用要素。
【請求項１６】
パネルは、実質的に平らである、請求項１〜１５のうちいずれか一に記載の建築用要素。
【請求項１７】
建築用要素であって、可撓性で実質的に平らな部材と、各々が可撓性の平らな部材の互いに反対側の表面にそれぞれ取り付けられていて、各々が軸線を定めるよう少なくとも２つの細長い溝がパネルの各々の中へ延びており、各パネルの各溝は、少なくとも１つの他の溝に対し斜めに配置され、互いに反対側のパネルのそれぞれの各溝は、実質的に整列しており、可撓性の平らな部材は、建築用要素を前記少なくとも２つの軸線回りに３次元に変形させることができるよう溝の各々の軸線に沿って変形可能である、建築用要素。
【請求項１８】
溝は、請求項２〜１６のうちいずれか一に記載の溝である、請求項１６記載の建築用要素。
【請求項１９】
構造体を形成する方法であって、請求項１〜１８のうちいずれか一に記載の建築用要素を準備する工程と、建築用要素を構造体を所望の位置に保持する物質を複数の溝のうち少なくとも幾つかに少なくとも部分的に充填する工程とを有する、方法。
【請求項２０】
建築用要素を充填工程の前又は後のいずれかに前記所望の位置に動かす、請求項１９記載の方法。
【請求項２１】
前記所望の位置は、建築用要素を湾曲させたときに生じる、請求項２０記載の方法。
【請求項２２】
物質は、建築用要素にくっついて充填後に剛性になるグラウティング材料である、請求項１９〜２１のうちいずれか一に記載の方法。
【請求項２３】
前記物質は、使用中、構造体に剛性を与える１以上の補強要素を含む、請求項１９〜２１のうちいずれか一に記載の方法。
【請求項２４】
前記物質は、グラウティング材料を更に含み、前記補強要素は、グラウティング材料内に少なくとも部分的に埋め込まれる、請求項２３記載の方法。
【請求項２５】
今やグラウト材料で固定されると共に（或いは）補強された構造体の少なくとも１つの表面を表面被覆材で被覆する工程を更に有している、請求項１９〜２４のうちいずれか一に記載の方法。
【請求項２６】
建築用要素をグラウティング又は補強前に前記所望の位置に固定する工程と、今や剛性の変形構造体を前記所望位置に固定された状態から外す次に行なわれる工程とを更に有している、請求項１９〜２５のうちいずれか一に記載の方法。
【請求項２７】
構造体を形成する方法であって、建築用要素を準備する工程を有し、建築用要素は、可撓性で実質的に平らな部材と、各々が可撓性の平らな部材の互いに反対側の表面にそれぞれ取り付けられていて、各々が軸線を定めるよう少なくとも２つの細長い溝がパネルの各々の中へ延びており、各パネルの各溝は、少なくとも１つの他の溝に対し斜めに配置され、互いに反対側のパネルのそれぞれの各溝は、実質的に整列しており、可撓性の平らな部材は、建築用要素を前記少なくとも２つの軸線回りに３次元に変形させることができるよう溝の各々の軸線に沿って変形可能であり、建築用要素の少なくとも一方の外面を表面被覆材で被覆する工程とを有する、方法。
【請求項２８】
建築用要素を被覆工程前に所望の位置に動かす、請求項２７記載の方法。
【請求項２９】
前記所望の位置は、建築用要素を湾曲させたときに生じる、請求項２０記載の方法。
【請求項３０】
建築用要素を被覆前に前記所望の位置に固定する工程と、構造体を前記所望の位置に固定した状態から取り外す次の工程とを更に有している、請求項２７〜２９のうちいずれか一に記載の方法。
【請求項３１】
表面被覆材は、可撓性である、請求項２７〜３０のうちいずれか一に記載の方法。
【請求項３２】
建築システムであって、請求項１〜１８のうちいずれか一に記載の建築用要素と、溝のうち１以上少なくとも部分的に充填することにより建築用要素を所望の位置に取り付ける物質とを有している、建築システム。
【請求項３３】
溝のうち１以上を少なくとも部分的に充填する物質は、剛性になる物質を含む、請求項３２記載の建築システム。
【請求項３４】
溝のうち１以上少なくとも部分的に充填する物質は、補強要素を含む、請求項３２又は３３記載の建築システム。
【請求項３５】
建築システムであって、建築用要素を有し、建築用要素は、可撓性で実質的に平らな部材と、各々が可撓性の平らな部材の互いに反対側の表面にそれぞれ取り付けられていて、各々が軸線を定めるよう少なくとも２つの細長い溝がパネルの各々の中へ延びており、各パネルの各溝は、少なくとも１つの他の溝に対し斜めに配置され、互いに反対側のパネルのそれぞれの各溝は、実質的に整列しており、可撓性の平らな部材は、建築用要素を前記少なくとも２つの軸線回りに３次元に変形させることができるよう溝の各々の軸線に沿って変形可能であり、建築システムは、建築用要素の少なくとも一方の外面に被覆された表面被覆材として用いられる被膜を更に有している、建築システム。
【請求項３６】
表面被覆材は、可撓性である、請求項３５記載の建築システム。
【請求項３７】
請求項１〜１８のうちいずれか一に記載の建築用要素を２つ接合するのに用いられる場合の締結具であって、使用の際前記建築用要素のパネルと係合可能な１以上の突起を互いに反対側の側部の各々に有するプレートから成る、締結具。
【請求項３８】
第２のプレートを更に有し、第２のプレートも又、使用の際前記建築用要素のパネルと係合可能な１以上の突起をその互いに反対側の側部の各々に有し、第２のプレートは、前記プレートに対し斜めに配置されている、請求項３７記載の締結具。
【請求項３９】
前記プレートは使用の際、２つの隣り合うパネルのそれぞれの外面相互間に位置決め可能であり、突起は、前記パネル内へ少なくとも部分的に挿入可能である、請求項３７又は３８記載の締結具。
【請求項４０】
建築システムであって、請求項１〜１８のうちいずれか一に記載の建築用要素を２つ有し、各要素の縁部のところにおいて、互いに反対側のパネルのうち一方は、肩領域を構成するようパネルの他方から内方に終端しており、前記建築用要素は、互いにオーバーラップしたそれぞれの建築用要素の肩と整列するよう配置されており、前記建築システムは、建築用要素の互いにオーバーラップ状態にある肩領域のところに位置決め可能な請求項３７又は３８記載の締結具を更に有し、一又は複数の突起が各建築用要素のパネルと係合するようになっている、建築システム。
【請求項４１】
肩領域のところの一建築用要素又は複数の建築用要素の各々の外面のところに位置決め可能な支持プレートを更に有し、支持プレートは、支持プレートを一建築用要素又は複数の建築用要素のそれぞれに締結するねじを受け入れ可能に構成されている、請求項４０記載の建築システム。
【請求項４２】
締結具もまた、ねじを受け入れることができる、請求項４０又は４１記載の建築システム。
【手続補正２】
【補正対象書類名】明細書
【補正対象項目名】０００６
【補正方法】変更
【補正の内容】
【０００６】
好ましくは、変形位置では、パネルの一方の外面の少なくとも一部は、凹状に形作られ、その反対側のパネルの外面の対向した部分は、凸状に形作られる。
好ましくは、各パネルは、複数のブロックによって構成され、ブロック相互間には１又は複数の上記溝が設けられる。
好ましくは、ブロックは、変形位置にあるとき実質的に応力を受けない。
好ましくは、パネルは、可撓性の平らな部材を実質的に隠す。
好ましくは、前記溝又は前記溝のうち少なくとも幾つかは、使用中、剛性になる物質で充填される。
好ましくは、前記溝又は前記溝のうち少なくとも幾つかは、使用中、１以上の補強要素で少なくとも部分的に充填される。
好ましくは、少なくとも１つの溝は、各パネルの互いに反対側の縁部相互間に延びる。
好ましくは、少なくとも１つの溝は、パネルが可撓性部材に取り付けられている位置のところ又はその近くでそれぞれ対応関係にあるパネル中の所定の深さまで延びる。
【手続補正３】
【補正対象書類名】明細書
【補正対象項目名】０００７
【補正方法】変更
【補正の内容】
【０００７】
好ましくは、構造体は、細長く、１以上の溝は、パネルの互いに反対側の長手方向縁部相互間に延びる横方向の溝である。
好ましくは、横方向の溝は、複数の実質的に互いに平行で間隔を置いた溝である。
好ましくは、横方向の溝に直交して配置された１以上の長手方向溝を更に有する。
好ましくは、長手方向溝は、複数の実質的に互いに平行で間隔を置いた溝である。
好ましくは、互いに反対側の表面のそれぞれの溝は、互いに整列する。
好ましくは、各溝は、直線を辿る。
好ましくは、パネルは、実質的に平らである。
【手続補正４】
【補正対象書類名】明細書
【補正対象項目名】０００８
【補正方法】変更
【補正の内容】
【０００８】
本発明は、第２の特徴として、建築用要素であって、可撓性で実質的に平らな部材と、各々が可撓性の平らな部材の互いに反対側の表面にそれぞれ取り付けられていて、各々が軸線を定めるよう少なくとも２つの細長い溝がパネルの各々の中へ延びており、各パネルの各溝は、少なくとも１つの他の溝に対し斜めに配置され、互いに反対側のパネルのそれぞれの各溝は、実質的に整列しており、可撓性の平らな部材は、建築用要素を前記少なくとも２つの軸線回りに３次元に変形させることができるよう溝の各々の軸線に沿って変形可能である、建築用要素を提供する。
【手続補正５】
【補正対象書類名】明細書
【補正対象項目名】０００９
【補正方法】変更
【補正の内容】
【０００９】
好ましくは、第２の特徴の溝は、第１の特徴の溝である。
【手続補正６】
【補正対象書類名】明細書
【補正対象項目名】００１０
【補正方法】変更
【補正の内容】
【００１０】
本発明は、第３の特徴として、構造体を形成する方法であって、第１の特徴又は第２の特徴に係る建築用要素を準備する工程と、建築用要素を構造体を所望の位置に保持する物質を複数の溝のうち少なくとも幾つかに少なくとも部分的に充填する工程とを有する、方法を提供する。
好ましくは、建築用要素を充填工程の前又は後のいずれかに前記所望の位置に動かす。愚弟的には、前記所望の位置は、建築用要素を湾曲させたときに生じる。
【手続補正７】
【補正対象書類名】明細書
【補正対象項目名】００１１
【補正方法】変更
【補正の内容】
【００１１】
好ましくは、物質は、建築用要素にくっついて充填後に剛性になるグラウティング材料である。
変形例として、前記物質は、使用中、構造体に剛性を与える１以上の補強要素を含む。かかる場合、前記物質は、好ましくはグラウティング材料を更に含み、各補強要素は、グラウティング材料内に少なくとも部分的に埋め込まれる。
好ましくは、第３の特徴の方法は、今やグラウト材料で固定されると共に（或いは）補強された構造体の少なくとも１つの表面を表面被覆材で被覆する工程を更に有する。
好ましくは、この方法は、建築用要素をグラウティング又は補強前に前記所望の位置に固定する工程と、今や剛性の変形構造体を前記所望位置に固定された状態から外す次に行なわれる工程とを更に有する。
【手続補正８】
【補正対象書類名】明細書
【補正対象項目名】００１２
【補正方法】変更
【補正の内容】
【００１２】
本発明は、第４の特徴として、構造体を形成する方法であって、建築用要素を準備する工程を有し、建築用要素は、可撓性で実質的に平らな部材と、各々が可撓性の平らな部材の互いに反対側の表面にそれぞれ取り付けられていて、各々が軸線を定めるよう少なくとも２つの細長い溝がパネルの各々の中へ延びており、各パネルの各溝は、少なくとも１つの他の溝に対し斜めに配置され、互いに反対側のパネルのそれぞれの各溝は、実質的に整列しており、可撓性の平らな部材は、建築用要素を前記少なくとも２つの軸線回りに３次元に変形させることができるよう溝の各々の軸線に沿って変形可能であり、建築用要素の少なくとも一方の外面を表面被覆材で被覆する工程とを有する、方法を提供する。
【手続補正９】
【補正対象書類名】明細書
【補正対象項目名】００１３
【補正方法】変更
【補正の内容】
【００１３】
好ましくは、建築用要素を被覆工程前に所望の位置に動かす。最適には、前記所望の位置は、建築用要素を湾曲させたときに生じる。
好ましくは、第４の特徴の方法は、建築用要素を被覆前に前記所望の位置に固定する工程と、構造体を前記所望の位置に固定した状態から取り外す次の工程とを更に有する。
最適には、表面被覆材は、可撓性である。
本発明は、第５の特徴として、建築システムであって、第１の特徴及び第２の特徴に係る建築用要素と、溝のうち１以上少なくとも部分的に充填することにより建築用要素を所望の位置に取り付ける物質とを有している、建築システムを提供する。
好ましくは、溝のうち１以上を少なくとも部分的に充填する物質は、剛性になる物質を含む。
好ましくは、溝のうち１以上少なくとも部分的に充填する物質は、補強要素を含む。
【手続補正１０】
【補正対象書類名】明細書
【補正対象項目名】００１４
【補正方法】変更
【補正の内容】
【００１４】
本発明は、第６の特徴として、建築システムであって、建築用要素を有し、建築用要素は、可撓性で実質的に平らな部材と、各々が可撓性の平らな部材の互いに反対側の表面にそれぞれ取り付けられていて、各々が軸線を定めるよう少なくとも２つの細長い溝がパネルの各々の中へ延びており、各パネルの各溝は、少なくとも１つの他の溝に対し斜めに配置され、互いに反対側のパネルのそれぞれの各溝は、実質的に整列しており、可撓性の平らな部材は、建築用要素を前記少なくとも２つの軸線回りに３次元に変形させることができるよう溝の各々の軸線に沿って変形可能であり、建築システムは、建築用要素の少なくとも一方の外面に被覆された表面被覆材として用いられる被膜を更に有している、建築システムを提供する。
好ましくは、表面被覆材は、可撓性である。
本発明は、第７の特徴として、第１の特徴及び第２の特徴に係る建築用要素を２つ接合するのに用いられる場合の締結具であって、使用の際前記建築用要素のパネルと係合可能な１以上の突起を互いに反対側の側部の各々に有するプレートから成る、締結具を提供する。
好ましくは、締結具は、第２のプレートを更に有し、第２のプレートも又、使用の際前記建築用要素のパネルと係合可能な１以上の突起をその互いに反対側の側部の各々に有し、第２のプレートは、前記プレートに対し斜めに配置される。
好ましくは、前記プレートは使用の際、２つの隣り合うパネルのそれぞれの外面相互間に位置決め可能であり、突起は、前記パネル内へ少なくとも部分的に挿入可能である。
本発明は、第８の特徴として、建築システムであって、第１の特徴又は第２の特徴に係る建築用要素を２つ有し、各要素の縁部のところにおいて、互いに反対側のパネルのうち一方は、肩領域を構成するようパネルの他方から内方に終端しており、前記建築用要素は、互いにオーバーラップしたそれぞれの建築用要素の肩と整列するよう配置されており、前記建築システムは、建築用要素の互いにオーバーラップ状態にある肩領域のところに位置決め可能な第７の特徴に係る締結具を更に有し、一又は複数の突起が各建築用要素のパネルと係合するようになっている、建築システムを提供する。
好ましくは、第８の特徴に係る建築システムは、肩領域のところの一建築用要素又は複数の建築用要素の各々の外面のところに位置決め可能な支持プレートを更に有し、支持プレートは、支持プレートを一建築用要素又は複数の建築用要素のそれぞれに締結するねじを受け入れ可能に構成される。
好ましくは、締結具も又、ねじを受け入れることができる。